(57)【要約】【課題】  バインド線を使用することなく電線を支持することができるピン碍子及びこれを用いた電線支持方法を提供する。【解決手段】  ピン碍子１０は、その表面から電線１を水平方向に伸ばした状態で入れるための凹溝１１と、この凹溝に連続して設けられ、電線１を入れた状態でピン碍子がねじられたときに電線１を水平方向に貫通した状態で支持する貫通孔１２と、この貫通孔内に電線１を移動不可状態に保持する電線取付け具２０とを備える。電線１をピン碍子１０に取り付けるには、電線１を貫通させた電線取付け具２０を凹溝１１に嵌め込み、ピン碍子１０をねじって、電線取付け具２０を貫通孔１２内に装填する。これにより、電線１は移動不可状態に保持される。【選択図】  図６
2007214023.tif 000002
【特許請求の範囲】
【請求項１】
電線を支持するためのピン碍子であって、
その表面から前記電線を水平方向に伸ばした状態で入れるための凹溝と、
該凹溝に連続して設けられ、前記電線を入れた状態で前記ピン碍子がねじられたときに前記電線を水平方向に貫通した状態で支持する貫通孔と、
該貫通孔内に前記電線を移動不可状態に保持する保持手段と、
を備えたことを特徴とするピン碍子。
【請求項２】
請求項１記載のピン碍子において、
前記保持手段は、前記凹溝及び前記貫通孔に収納され、前記貫通孔に堅固に保持される形状を有し、かつ前記電線が貫通する筒状に形成され、その内部を貫通する電線を堅固に保持する電線取付け具であることを特徴とするピン碍子。
【請求項３】
請求項２記載のピン碍子において、
前記電線取付け具は略ダンベル形に形成され、
前記凹溝及び貫通孔は前記ダンベル形の柄の部分の外形状に略合致することを特徴とするピン碍子。
【請求項４】
請求項２記載のピン碍子において、
前記電線取付け具は略鼓形に形成されることを特徴とするピン碍子。
【請求項５】
請求項２記載のピン碍子において、
前記電線取付け具は略算盤珠形に形成されることを特徴とするピン碍子。
【請求項６】
請求項１記載のピン碍子において、
前記保持手段は、前記貫通孔の所定の部位が前記電線の外形よりも窄んだ形状に形成され、前記部位と前記電線との摩擦力によって前記電線を堅固に保持する形状部であることを特徴とするピン碍子。
【請求項７】
電線をピン碍子に支持するための方法であって、
その表面から前記電線を水平方向に伸ばした状態で入れるための凹溝と、
該凹溝に連続して設けられ、前記電線を入れた状態で前記ピン碍子がねじられたときに前記電線を水平方向に貫通した状態で支持する貫通孔と、該貫通孔内に前記電線を移動不可状態に保持する保持手段とを備えるピン碍子を用いて、
前記電線を前記凹溝に嵌め込み、
前記ピン碍子をねじって、前記電線を移動不可状態に保持する
ことを特徴とする電線支持方法。
【発明の詳細な説明】
【技術分野】
【０００１】
本発明は、ピン碍子及びこれを用いた電線支持方法に関する。
【背景技術】
【０００２】
一般的に、電柱の上に張り巡らされている高圧配電線（以下「電線」という）は、電柱の腕金に取り付けられた高圧ピン碍子（以下「ピン碍子」という）によって支持されている。
【０００３】
図１３に示すように、電線張設時には、まず、ピン碍子３の下部に設けられたボルト状のピン５を電柱の腕金６の穴６ａに差し込み、腕金６の下側においてナット（図示しない）を下から見て右回転させて軽く締結することにより、ピン碍子３を腕金６に取り付ける。次に、ピン碍子３の上部に設けられた凹み部４に電線１を水平に沿わせ、絶縁体で被覆されている被覆巻付バインド（以下「バインド」という）２を電線１と凹み部４とに巻き付けることにより、電線１をピン碍子３に堅固に支持する。最後に、ピン５をナットできつく締結することにより、ピン碍子３を腕金６に強固に取り付ける。
【発明の開示】
【発明が解決しようとする課題】
【０００４】
しかしながら、バインド線の掌握力が強いためにバインド線が電線の絶縁被覆に食い込むので、時間が経つにつれて絶縁被覆が薄くなってバインド線自体が帯電し、鳥獣類がバインド線に接触すると、それら鳥獣類を経路として電気が大地に漏れて地絡事故が発生するという問題がある。また、経年変化によりバインド線が切れて電線を保持できなくなり、電線が地面に落下して電気が漏れるという問題もある。
【０００５】
本発明の目的は、バインド線を使用することなく電線を支持することができるピン碍子及びこれを用いた電線支持方法を提供することである。
【課題を解決するための手段】
【０００６】
本発明のピン碍子は、その表面から前記電線を水平方向に伸ばした状態で入れるための凹溝と、該凹溝に連続して設けられ、前記電線を入れた状態で前記ピン碍子がねじられたときに前記電線を水平方向に貫通した状態で支持する貫通孔と、該貫通孔内に前記電線を移動不可状態に保持する保持手段とを備えたことを特徴とする。
【０００７】
前記貫通孔は、前記凹溝の左下側に連続して設けられることが望ましい。ピン碍子を腕金に取り付けるときにナットを下方向から見て右側に締め付けると、その影響でピン碍子が下から見て右方向に（即ち、上から見て左方向に）ずれて、電線が貫通孔の最下面により強く押し付けられるので、電線をより強く保持することができる。
【０００８】
前記保持手段は、前記凹溝及び前記貫通孔に収納され、前記貫通孔に堅固に保持される形状を有し、かつ前記電線が貫通する筒状に形成され、その内部を貫通する電線を堅固に保持する電線取付け具であるが望ましい。
【０００９】
前記電線取付け具は略ダンベル形に形成され、前記凹溝及び貫通孔は前記ダンベル形の柄の部分の外形状に略合致することが望ましい。或いは、電線取付け具は略鼓形であってもよいし、略算盤珠形であってもよい。鼓形の場合は中間部が細くなるように、算盤珠形の場合は中間部が太くなるように、夫々形成される。いずれの場合も、電線取付け具の外径がテーパ状に変わるので、電線取付け具を貫通した電線が一方向に引っ張られた場合、テーパ部分がピン碍子の貫通孔内で周囲に喰い込む「くさび効果」により、電線取付け具は引張力に抗して、より堅固に電線を引き止める作用を発揮する。また、電線取付け具がピン碍子から水平方向に外れるのをより確実に阻止する効果もある。
【００１０】
前記電線取付け具は、弾性を有する絶縁材料で形成されていることが望ましい。また、前記電線取付け具の内側に凸部が複数設けられていることが望ましい。電線に対する電線取付け具の掌握力が強くなり、電線はより堅固に支持される。
【００１１】
さらに、前記電線取付け具の側面に、前記内部に通じる切込みが設けられていることが望ましい。又は、前記電線取付け具は、筒を２つに分割した形状の一対の半円筒部材を接合して形成されていてもよい。これにより、電線取付け具の内部に電線を容易に嵌めることができる。
【００１２】
或いは、前記保持手段は、前記貫通孔の所定の部位が前記電線の外形よりも窄んだ形状に形成され、前記部位と前記電線との摩擦力によって前記電線を堅固に保持する形状部であることが望ましい。前記部位は、貫通孔の最下部に設けられていてもよいし、その手前に設けられていてもよい。電線取付け具を使用せずに電線をピン碍子に支持させることができる。
【００１３】
本発明の電線支持方法は、その表面から前記電線を水平方向に伸ばした状態で入れるための凹溝と、該凹溝に連続して設けられ、前記電線を入れた状態で前記ピン碍子がねじられたときに前記電線を水平方向に貫通した状態で支持する貫通孔と、該貫通孔内に前記電線を移動不可状態に保持する保持手段とを備えるピン碍子を用いて、前記電線を前記凹溝に嵌め込み、前記ピン碍子をねじって、前記電線を移動不可状態に保持することを特徴とする。
【発明の効果】
【００１４】
本発明によれば、バインド線を使用することなく電線を支持することができるので、従来のバインド線の食い込みや切断を原因とする電気の漏れが発生することを防ぐことができる。さらに、電線張設作業時に電線とピン碍子とにバインド線を巻きつける作業が不要となる。
【発明を実施するための最良の形態】
【００１５】
まず、第１実施形態のピン碍子について説明する。なお、ピン碍子は角部を丸く（いわゆるＲ状に）形成されている（図２）。図１は、第１実施形態のピン碍子の全体構成を示す斜視図である。ピン碍子１０は、着脱可能な電線取付け具２０を備える。図２はピン碍子を示す図で、（Ａ）は平面図、（Ｂ）は正面図である。
【００１６】
ピン碍子１０の上面にはその径の中心を水平方向に貫通する凹溝１１が設けられていて、該凹溝の下側に連続して貫通孔１２が設けられている。ピン碍子１０の下部にはそれを電柱の腕金６に取り付けるためのボルト状のピン５が設けられている。
【００１７】
凹溝１１の幅は、後述の電線取付け具２０の円筒部の外径に等しく、その底面１１ａの形状は、電線取付け具２０の円筒部の外側面と略合致する。
【００１８】
貫通孔１２の形状は、電線取付け具２０の円筒部と同じ大きさの円柱を、凹溝１１の底面１１ａを起点としてピン碍子１０の径の中心を回転軸として上から見て右方向に約 30 ° 回転させながら数 cm 下側にずらしたときに、前記円柱が描く軌跡と略合致する。
【００１９】
図３は電線を保持する手段の一例として電線取付け具を示す図で、（Ａ）は平面図、（Ｂ）は正面図である。図４は電線取付け具を示す図で、（Ａ）は閉じた状態を示す斜視図、（Ｂ）は開口部が開いた状態を示す斜視図である。
【００２０】
電線取付け具２０は、ポリエチレンや合成ゴムのような弾性を有する絶縁材料で形成されている。電線取付け具２０の形状は、ピン碍子１０に取り付けようとする電線１の外径に等しい内径と、電線１の外径よりもひと回り大きな外径と、ピン碍子１０の直径に等しい長さとを有する円筒であって、両端にはその外径よりも大きいストッパ２１ａ、２１ｂが設けられていて、略ダンベル形をしている。そして、電線取付け具２０は径の中心を通る平面で２つに分割されている。
【００２１】
半円状のストッパ２１ａ、２１ｂは、電線取付け具２０がピン碍子１０の凹溝１１又は貫通孔１２に置かれたときに、電線取付け具２０が長手方向に動いてピン碍子１０から外れることを防ぐ。一方のストッパ２１ａの一端は他方のストッパ２１ｂの一端と結合していて、電線取り付け具２０を開閉するときに蝶番の役割を果たす。一方のストッパ２１ａの他端に設けられた爪２２を、他方のストッパ２１ｂの他端に設けられた受け孔に差し込むことによって、電線取付け具２０は接合される。
【００２２】
電線取付け具２０の内側にはその長手方向に直交する凸部２４が複数設けられていて、その高さは 1 mm 程度である。電線取付け具２０の内側に電線１を通すと、電線１の絶縁被膜に凸部２４が食い込むので、電線１が長手方向に動くことなく電線取付け具２０に堅固に支持される。
【００２３】
次に、第１実施形態のピン碍子への電線の取り付け方法を説明する。図５は第１実施形態のピン碍子に電線を取り付けている状態を示す図で、（Ａ）は斜視図、（Ｂ）は平面図である。図６は第１実施形態のピン碍子に電線を取り付けた後の状態を示す図で、（Ａ）は斜視図、（Ｂ）は平面図である。
【００２４】
あらかじめ、ピン碍子１０のピン５を電柱の腕金６の穴６ａに差し込み、ナットで軽く締結することによって、ピン碍子１０を腕金６（図１３）に取り付けておく。次に、電線取付け具２０を開いた状態で、電線取付け具２０の内側に電線１を置き、電線取付け具２０を閉じて爪２２を受け孔２３に差し込む。これにより、電線１が電線取付け具２０に保持される。次に、内部を電線１が貫通している状態の電線取付け具２０を、ピン碍子１０の凹溝１１に水平に落とし入れ、凹溝１１の底面１１ａに置く（図５）。次に、電線取付け具２０を保持しながら、ピン碍子１０を下から見て右方向にねじり上げて（即ち、上から見て左方向にねじり下げて）、電線取付け具２０をピン碍子１０の貫通孔１２内に装填し、最下面１２ａに接触させる（図６）。最後に、ピン５をナットできつく締結する。このとき、ナットを下から見て右方向に締め付けるので、その影響でピン碍子１０が下から見て右方向に（即ち、上から見て左方向に）少しずれて、電線取付け具２０が貫通孔１２の最下面１２ａにより強く押し付けられる。また、ピン碍子１０の貫通孔１２には、電線１の重力及び張力によって下向きの力が加わり、電線取付け具２０は貫通孔１２の最下面１２ａにより強く押し付けられるので、電線取付け具２０がその位置から外れることはない。以上により、電線１は、電線取付け具２０を介してピン碍子１０に堅固に支持される。
【００２５】
なお、電線１と異なる外径を有する電線をピン碍子１０に取り付けたい場合には、電線取付け具２０の内径をその電線の外径に一致させた電線取付け具を用いることにより、電線１と共通して使用するピン碍子１０にその電線を取り付けることができる。
【００２６】
さらに、第１実施形態のピン碍子の形状を次のようにすることも可能である。図７は第１実施形態のピン碍子の第１改変例を示す図で、（Ａ）は電線取付け具の平面図、（Ｂ）はピン碍子の平面図、（Ｃ）はピン碍子に電線を取り付けた後の状態を示す平面図である。図８は第１実施形態のピン碍子の第２改変例を示す図で、（Ａ）は電線取付け具の平面図、（Ｂ）はピン碍子の平面図、（Ｃ）はピン碍子に電線を取り付けた後の状態を示す平面図である。
【００２７】
第１改変例の電線取付け具２０Ａの形状は、その中心から両端に向かって径が太くなる略鼓形である。ピン碍子１０Ａの凹溝１１Ａ及び貫通孔１２Ａの形状は、電線取付け具２０Ａの外形状に略合致する。また、第２改変例の電線取付け具２０Ｂの形状は、その中心から両端に向かって径が細くなる略算盤珠形である。ピン碍子１０Ｂの凹溝１１Ｂ及び貫通孔１２Ｂの形状は、電線取付け具２０Ｂの外形状に略合致する。
【００２８】
電線取付け具２０Ａ又は２０Ｂは、中心から両端に向かって径が太く又は細くなるテーパ形状を有することにより、ピン碍子１０Ａ又は１０Ｂの凹溝１１Ａと貫通孔１２Ａ、又は凹溝１１Ｂと貫通孔１２Ｂに置かれるとき、電線取付け具２０Ａ又は２０Ｂが長手方向に動いてピン碍子１０から外れるのをより確実に防止できる。加えて、図７（Ｃ）又は図８（Ｃ）に示すように電線取付け具を貫通した電線１が一方向に引っ張られたときには、テーパ部分がピン碍子の貫通孔１２Ａ又は１２Ｂ内で周囲に喰い込む「くさび効果」により、電線取付け具２０Ａ又は２０Ｂが電線の引張力に抗して、より堅固に電線１を引き止める作用を発揮する。
【００２９】
次に、第２実施形態のピン碍子について説明する。
【００３０】
図９は第２実施形態のピン碍子の全体構成を示す図で、（Ａ）は平面図、（Ｂ）は正面図である。
【００３１】
ピン碍子１１０は、第１実施形態のピン碍子１０とは異なり、電線取付け具を備えていない。ピン碍子１１０の上面にはその径の中心を水平方向に貫通する凹溝１１１が設けられていて、該凹溝の下側に連続して貫通孔１１２が設けられている。ピン碍子１１０の下部にはそれを電柱の腕金６に取り付けるためのボルト状のピン５が設けられている。
【００３２】
凹溝１１１の幅は電線１の外径に等しく、底面１１１ａの形状は電線１の外形状と略合致する。
【００３３】
貫通孔１１２の形状は、凹溝１１１の底面１１１ａの位置に置いた電線１の外径に等しい太さの円柱を、ピン碍子１１０の径の中心を回転軸として右方向に約 30 ° 回転させながら数 cm 下側にずらしたときに、前記円柱が描く軌跡と略合致するが、貫通孔１１２の最下部はその軌跡よりも窄んだ形状をしている。貫通孔１１２に電線１を通して最下面１１２ａに接触させると、電線１の絶縁被膜に最下面１１２ａの窄んだ形状が食い込むので、電線１は貫通孔１１２の最下面１１２ａに堅固に支持される。
【００３４】
次に、第２実施形態のピン碍子への電線の取り付け方法を説明する。図１０は、第２実施形態のピン碍子に電線を取り付けた後の状態を示す斜視図である。
【００３５】
あらかじめ、ピン碍子１１０のピン５を電柱の腕金６の穴６ａに差し込み、ナットで軽く締結することによって、ピン碍子３を腕金６に取り付けておく。次に、電線１をピン碍子１１０の凹溝１１１に水平に落とし入れて、凹溝１１１の底面１１ａに置く。次に、電線取付け具１を保持しながら、ピン碍子１１０を下から見て右方向にねじり上げて（即ち、上から見て左方向にねじり下げて）、電線１をピン碍子１１０の貫通孔１１２の最下面１１２ａに接触させる。最後に、ピン５をナットできつく締結して、ピン碍子３を腕金６に強固に取り付ける。このとき、ナットを下から見て右方向に（即ち、上から見て左方向に）締め付けるので、その影響で電線１は下から見て右方向に（即ち、上から見て左方向に）少しずれて、電線１は貫通孔１１２の最下面１１２ａにより強く接触させられる。以上により、電線１はピン碍子１１０に堅固に支持される。
【００３６】
以上、実施形態のピン碍子について説明したが、本発明はこれに限られない。例えば、図１１及び図１２に示すように、ピン碍子は側面に凹溝を有するものでもよい。このピン碍子２１０は、着脱可能な電線取付け具２０を備える。ピン碍子２１０の側面には、その径の中心まで水平方向に貫通する凹溝２１１が設けられ、この凹溝２１１の下側に連続して貫通孔２１２が設けられている。ピン碍子２１０の下部には、電柱の腕金６に取り付けるためのボルト状のピン５が設けられている。凹溝２１１の幅は電線１の外径に等しく、底面２１１ａの形状は電線１の外形状と略合致する。
【００３７】
図１１に示すように、このピン碍子２１０に電線を取り付けるには、まず、内部を電線１が貫通している状態の電線取付け具２０を、ピン碍子２１０の凹溝２１１に水平に通して、凹溝２１１の最奥面２１１ａに置く。次に、電線取付け具２０を保持しながら、ピン碍子２１０を下から見て右方向にねじり上げて（即ち、上から見て左方向にねじり下げて）、電線取付け具２０をピン碍子２１０の貫通孔２１２内に装填し、最下面２１２ａに接触させる。これにより、前述の実施形態と同様に、電線１はピン碍子２１０に堅固に支持される。
【図面の簡単な説明】
【００３８】
【図１】第１実施形態のピン碍子の全体構成を示す斜視図である。
【図２】ピン碍子を示す図で、（Ａ）は平面図、（Ｂ）は正面図である。
【図３】電線を保持する手段の一例として電線取付け具を示す図で、（Ａ）は平面図、（Ｂ）は正面図である。
【図４】電線取付け具を示す図で、（Ａ）は閉じた状態を示す斜視図、（Ｂ）は開口部が開いた状態を示す斜視図である。
【図５】第１実施形態のピン碍子に電線を取り付けている状態を示す図で、（Ａ）は斜視図、（Ｂ）は平面図である。
【図６】第１実施形態のピン碍子に電線を取り付けた後の状態を示す図で、（Ａ）は斜視図、（Ｂ）は平面図である。
【図７】第１実施形態のピン碍子の第１改変例を示す図で、（Ａ）は電線取付け具の平面図、（Ｂ）はピン碍子の平面図、（Ｃ）はピン碍子に電線を取り付けた後の状態を示す平面図である。
【図８】第１実施形態のピン碍子の第２改変例を示す図で、（Ａ）は電線取付け具の平面図、（Ｂ）はピン碍子の平面図、（Ｃ）はピン碍子に電線を取り付けた後の状態を示す平面図である。
【図９】第２実施形態のピン碍子の全体構成を示す図で、（Ａ）は平面図、（Ｂ）は正面図である。
【図１０】第２実施形態のピン碍子に電線を取り付けた後の状態を示す斜視図である。
【図１１】側面に凹溝を有するピン碍子に電線を取り付けた後の状態を示す斜視図である。
【図１２】ピン碍子を示す図で、（Ａ）は平面図、（Ｂ）は正面図である。
【図１３】従来のピン碍子への電線の取り付け状態を示す斜視図である。
【符号の説明】
【００３９】
１：電線、２：バインド線、３：ピン碍子、４：ピン碍子の凹み部、５：ピン、６：腕金、１０：ピン碍子、１１：凹溝、１２：貫通孔、２０：電線取付け具、２１：ストッパ、２２：爪、２３：受け孔、２４：凸部、１１０：ピン碍子、１１１：凹溝、１１２：貫通孔、２１０：ピン碍子、２１１：凹溝、２１２：貫通孔。
【図１】
2007214023.tif 000003
【図２】
2007214023.tif 000004
【図３】
2007214023.tif 000005
【図４】
2007214023.tif 000006
【図５】
2007214023.tif 000007
【図６】
2007214023.tif 000008
【図７】
2007214023.tif 000009
【図８】
2007214023.tif 000010
【図９】
2007214023.tif 000011
【図１０】
2007214023.tif 000012
【図１１】
2007214023.tif 000013
【図１２】
2007214023.tif 000014
【図１３】
2007214023.tif 000015